(57)【要約】      （修正有）【課題】充填物としてビード形高吸収性樹脂を使用し、高吸収性樹脂の水分吸収量によって収縮及び膨脹状態を変化させることができる縫製玩具を提供する。【解決手段】縫製玩具１は、通常の縫製玩具の外皮に使われる水が透過される透水性外皮原緞１０の内面に水が透過される透水性内皮原緞２０を積層して玩具の形状に合うように縫い物し、縫い物された外皮原緞１０と内皮原緞２０により区切られた内部空間Ｓに、水を吸収した時、ビード３１の形状に膨脹するビード形高吸収性樹脂３０を内部空間Ｓの体積に対応する量で充填して構成され、外皮原緞１０と内皮原緞２０が透水性で、かつ少なくとも内皮原緞２０はビード形高吸収性樹脂３０のビード３１が透過できないように織造されたビード−不透過性原緞であり、上記縫い物はビード３１が漏れない稠密なひと目２でなす。【選択図】図４
0003153003.tif 000002
【実用新案登録請求の範囲】
【請求項１】
通常の縫製玩具の外皮に使われる水が透過される透水性外皮原緞１０の内面に水が透過される透水性内皮原緞２０を積層して玩具の形状に合うように縫い物し、縫い物された外皮原緞１０と内皮原緞２０により区切られた内部空間Ｓに、水を吸収した時、ビード３１の形状に膨脹するビード形高吸収性樹脂３０を内部空間Ｓの体積に対応する量で充填して構成され、
外皮原緞１０と内皮原緞２０が透水性で、かつ少なくとも内皮原緞２０は膨脹前直径が０．１〜１ｍｍのビード形高吸収性樹脂３０が透過しないように織造されたビード−不透過性原緞であり、内皮原緞２０の縫い物はビード形高吸収性樹脂３０が漏れないインチ当たり７〜２０ひと目でなされたものであり、ビード形高吸収性樹脂３０は内部空間Ｓが収容することができる水の重量の１．２％乃至１０％で充填されることを特徴とする高吸収性樹脂が充填された縫製玩具。
【請求項２】
内部空間Ｓには芳香剤と抗菌剤のうち、少なくとも１つの添加剤４０が投入されることを特徴とする請求項１に記載の高吸収性樹脂が充填された縫製玩具。
【請求項３】
ビード形高吸収性樹脂３０は、水に容易に溶解されたり容易に破損されるカプセル３２に投入されて充填されることを特徴とする請求項１に記載の高吸収性樹脂が充填された縫製玩具。
【考案の詳細な説明】
【技術分野】
【０００１】
本考案は、縫製玩具に関し、より詳しくは、原緞（布）を裁縫して内部空間に充填物を詰めて各種人形や動物模様を立体的に形成する縫製玩具に関連して、充填物として綿やパッキンを使用せず、ビード形高吸収性樹脂を使用することによって、高吸収性樹脂の漏れ無しで高吸収性樹脂の水分吸収量によって縫製玩具の収縮及び膨脹状態が可変する高吸収性樹脂が充填された縫製玩具に関する。
【背景技術】
【０００２】
原緞（布）の周りを一定の形状に裁縫し、その内部空間に適当な充填物を詰めて各種人形や動物模様を立体的に作る縫製玩具は、広く知られたように、一定の本に沿って裁断した後に窓孔を残して重ねて縫って裏返した後、内部空間に綿などを充填して窓孔をかがって仕上げる方法により製作される。
【０００３】
縫製玩具は、布の軟らかい感触が感じられ、破られたり負傷の心配がないだけでなく、切れ端布とパッキン（綿）を用いて容易に製造できるというなどの種々の長所により伝統的に愛されてきた代表的な玩具の１つである。
【０００４】
縫製玩具は、作られた形状をそのまま維持するため、相対的に非常に静的で、変化がないので、好奇心を刺激する機能が微弱であるという短所がある。このような縫製玩具の短所を補完するために、センサや音響装置などの電子装置を内蔵して音響や動的な変化を与える縫製玩具も広く市場に発表されている。
【０００５】
縫製玩具の更に他の短所は、外皮は勿論充填物までその全体の素材が布と綿などの繊維であるため、水を吸収すれば湿っぽくなり、よく乾燥されないので、水で持って遊ぶことに適合しないということである。
【考案の概要】
【考案が解決しようとする課題】
【０００６】
本考案の目的は、布を裁縫して密閉された空間を作り、内部に綿やパッキンを詰めて各種人形や動物模様を立体的に形成する縫製玩具に関連して、充填物として綿やパッキンの代りに、ビード形高吸収性樹脂を充填することで、高吸収性樹脂の漏れ無しで高吸収性樹脂の水分吸収量（吸収及び蒸発）によって縫製玩具の収縮及び膨脹状態が可変する縫製玩具を提供することにある。
【課題を解決するための手段】
【０００７】
本考案により高吸収性樹脂が充填された縫製玩具が提供される。
【０００８】
本考案に係る高吸収性樹脂が充填された縫製玩具は、通常の縫製玩具の外皮に使われる水が透過される透水性外皮原緞の内面に水が透過される透水性内皮原緞を積層して玩具の形状に合うように縫い物し、縫い物された上記外皮原緞と上記内皮原緞により区画された内部空間に、水を吸収した時、ビードの形状に膨脹するビード形高吸収性樹脂を上記内部空間の体積に対応する量で充填して構成される。
【０００９】
ここで、上記外皮原緞と上記内皮原緞が透水性で、かつ少なくとも上記内皮原緞は上記ビード形高吸収性樹脂の上記ビードが透過しないように織造されたビード−不透過性原緞であり、上記縫い物は上記ビードが漏れない稠密なひと目でなされる。
【００１０】
好ましくは、上記内皮原緞は経糸及び緯糸の太さが最小２０番手×２０番手から最大６０番手×６０番手であり、経糸及び緯糸の密度がインチ当たり最小１０８×５８から最大１４０×１２０の高密度原緞である。
【００１１】
好ましくは、上記縫い物はインチ当たり７〜２０ひと目の稠密な縫い物である。
【００１２】
好ましくは、上記ビード形高吸収性樹脂は、膨脹前に上記ビードの直径が平均０．１〜１ｍｍの樹脂であって、上記内部空間が収容できる水の重量の１．２％乃至１０％で充填される。
【００１３】
好ましくは、上記内部空間には芳香剤と抗菌剤のうち、少なくとも１つの添加剤が投入される。
【００１４】
好ましくは、上記ビード形高吸収性樹脂は水に容易に溶解されたり、容易に破損されるカプセルに投入されて充填される。
【考案の効果】
【００１５】
本考案に係る高吸収性樹脂が充填された縫製玩具は次のような効果が得られる。
【００１６】
第１に、本考案の縫製玩具は、充填物として綿やパッキンを使用せず、ビード形高吸収性樹脂を使用することによって、ビード形高吸収性樹脂の水分吸収量によって玩具の収縮及び膨脹状態が可変されて、種々の姿勢が表出できるので、膨脹と収縮現象及び形状の変化による面白さを享受することができる。
【００１７】
第２に、本考案の縫製玩具によると、縫製玩具に広く使われる通常の透水性縫製原緞を外皮原緞とし、外皮原緞の内面に透水性で、かつビード−不透過性の内皮原緞を積層させると共に、充填物として選別されたビード形高吸収性樹脂を適用して、外皮及び内皮原緞を通じた水の透過は自由にしながらビード形高吸収性樹脂は内皮原緞により漏れないようにすることで、実質的に適用が不可能であった高吸収性樹脂を縫製玩具の充填物に適用できるようになる効果がある。
【００１８】
第３に、本考案の縫製玩具は外皮及び内皮原緞が布からなっており、水と共に使用する玩具であるが、ビード形高吸収性樹脂による水の吸収により原緞の表面が不快感を与える程度に湿っぽくないし、併せて、ビード形高吸収性樹脂に吸収されていた水が周辺の温度によって徐々に蒸発する過程で吸熱が起こるので、涼しい感じを有するようにするので、水で持って遊ぶことに適合しなかった縫製玩具を水で持って遊ぶことができるようにした効果がある。
【００１９】
第４に、本考案の縫製玩具はビード形高吸収性樹脂と共に適当量の芳香剤及び／または抗菌剤を投入することによって、水の使用に伴う細菌繁殖及び臭いの発生を最小化することができ、延いては、車両や室内などに備えづけて芳香玩具として使用することもできる。
【００２０】
第５に、本考案の縫製玩具を冷凍させた後、常温で解凍させる場合に、外皮原緞及び内皮原緞の作用により結露が発生しないながらゆっくり解凍されるので、縫製玩具の接触時、湿っぽくない、かつ過度に冷たくない涼しい状態を長く間持続することができ、従って、本考案の縫製玩具は簡単に暑さを冷ますことができる用途に使用できるのみならず、冷湿布や体温降下のための用途に兼用して使用することができる効果もある。
【図面の簡単な説明】
【００２１】
【図１】本考案に係る例示的な縫製玩具の斜視図写真である。
【図２】本考案に係る例示的な縫製玩具の膨脹前後の縦断面写真である。
【図３】本考案に係る例示的な縫製玩具の段階的な膨脹収縮過程の写真である。
【図４】本考案に係る例示的な縫製玩具の膨脹前後の概略縦断面図である。
【図５】本考案に係る縫製玩具に適合したビード形高吸収性樹脂と一般高吸収性樹脂の粒子写真である。
【考案を実施するための形態】
【００２２】
以下、添付図面を参照しつつ本考案に係る高吸収性樹脂が充填された縫製玩具をより詳細に説明する。以下の具体例は本考案に係る縫製玩具の例示的な説明に過ぎず、本考案の範囲を制限するのではない。
【００２３】
図１は、本考案に係る例示的な縫製玩具の斜視図写真であって、子犬、オットセイ、及びイルカの縫製玩具である。図２は、本考案に係る例示的な縫製玩具の膨脹前後の縦断面写真であって、図２の右側の写真は高吸収性樹脂が膨脹前状態３０を示す断面であり、図２の左側の写真は高吸収性樹脂が膨脹後状態３１を示す断面である。図３は、本考案に係る例示的な縫製玩具の段階的な膨脹収縮過程の写真であって、完全膨脹状態（Ａ）から時間が経るにつれて水が蒸発しながら収縮される過程を示し、特に図３の（Ｃ）のイルカは完全収縮状態である。図４は、本考案に係る例示的な縫製玩具の膨脹前後の概略縦断面図である。図５は、本考案に係る縫製玩具に適しているビード形高吸収性樹脂（Ａ）と一般高吸収性樹脂（Ｂ）の粒子写真である。
【００２４】
図１乃至図４に示すように、本考案に係る高吸収性樹脂が充填された縫製玩具１は、従来の一般的な縫製玩具と同様に、原緞（布）を裁縫して密閉された内部空間を作り、ここに充填物を詰めて各種人形や動物模様で形成した縫製玩具の一種である。
【００２５】
本考案の特徴に従い、原緞は従来のように単一の原緞でなされたものでなく、一定条件に合うように選択された外皮原緞１０と内皮原緞２０の二重原緞でなされる。
【００２６】
外皮原緞１０は、必須的に水を透過させることができる透水性原緞であって、縫製玩具の原緞に広く使われる通常の原緞が使われることができ、例えば縫製玩具の原緞に広く使われるベルボア（Velboa）原緞が好ましくて、原糸として極細糸フィラメントを使用して、非常に肌触りの良いＥＦベルボア原緞が特に好ましい。
【００２７】
内皮原緞２０は外部原緞１０の内面に積層され、水を透過させることができる透水性のものと共に、後述するビード形高吸収性樹脂３０のビード３１が容易に透過できないように織造された高密度原緞を使用する。
【００２８】
内皮原緞２０としては、ビード形高吸収性樹脂３０のビード３１が容易に透過できない原緞であれば特別の制限はなく、例えば各種被服の裏地に広く使われる高密度Ｔ／Ｃ（POLYESTER/RAYON）原緞などを使用することができる。
【００２９】
より具体的に、内皮原緞２０としては経糸と緯糸の太さが最小２０番手×２０番手から最大６０番手×６０番手であり、経糸と緯糸の密度がインチ当たり最小１０８×５８から最大１４０×１２０のＴ／Ｃ原緞など、高密度原緞を使用することができる。この際、糸の太さが上記範囲を超えて過度に太かったり密度が過度に高ければ、水の透水に過度に時間がかかるので好ましくなく、密度が上記範囲より低ければビード３１の漏れが発生できるので好ましくない。
【００３０】
本考案の縫製玩具１に使われる原緞を外皮原緞１０と内皮原緞２０の二重構造にし、外皮原緞１０を透水性原緞とする一方、内皮原緞２０は透水性で、かつビード−不透過性の原緞とすることは、外皮原緞１０により縫製玩具が有する軟らかい表面感触をそのまま維持しながら、水は外皮原緞１０と内皮原緞２０を通じて内部空間Ｓに入出（透水）するが、ビード形高吸収性樹脂３０のビード３１は内皮原緞２０の微細な高密度織造を通じて透過（漏れ）しないようにするためのものである。
【００３１】
同一な理由により、外皮原緞１０と内皮原緞２０を希望する形状に縫い物（裁縫）する時には、一般的な縫製玩具の縫い物より稠密に縫い物することで、縫い物のひと目２とひと目との間の隙間にビード形高吸収性樹脂３０が漏れないようにする。例えば、本考案に適用される縫い物は１インチの長さに７〜２０ひと目であれば好ましくて、略１５ひと目位であれば最も好ましい。裁縫機の性能が支援する場合に２０ひと目以上まで稠密に縫い物することもできるが、縫製用裁縫機の性能に限界があり、過度に多いひと目は漏れ防止にむしろよくないことがあるので、基本的にビード形高吸収性樹脂３０の漏出が防止できる水準で縫い物すれば足りる。
【００３２】
本考案の縫製玩具１の内部空間Ｓには、例えばソディウムアクリレートポリマー（sodium acrylate polymer）のようなビード形高吸収性樹脂３０が充填される。
【００３３】
大韓民国特許登録第０４９２９１７号（２００５年０６月０１日公告）の‘ビード状高吸収性樹脂の製造方法’等、多数の文献に記載されたように、高吸収性樹脂は自体重量の数十乃至数百倍の水を吸収した後、ある程度の圧力を加えても水を容易に放出しない特性を有する機能性高分子の一種であって、水の吸収を必要とする紙おむつ、生理用ナプキン、母乳パッドなどの衞生用品に広く使われている。
【００３４】
一般に、高吸収性樹脂は、−ＯＨ、−ＮＨ２、−ＣＯＯＨ、−ＳＯ３Ｈなどの親水性基を有する単量体を架橋剤と共に重合して３次元の網状構造を有するように作られた合成物質からなっており、親水性単量体には部分中和されたアクリル酸を利用しており、合成法には、塊状重合、溶液重合、逆相懸濁重合法、逆相乳化重合法などがあることと知られている。
【００３５】
一定の粒子模様を有する高吸収性樹脂を製造するためには、一般的に逆相懸濁重合法または逆相乳化重合法が適用され、特に水溶性単量体を溶媒上に分散させて重合させる逆相懸濁重合法は、ビード状の高吸収性樹脂を製造することに好ましい方法であると知られている。
【００３６】
水分を吸収して膨脹した高吸収性樹脂の粒子形状は非常に多様であるところ、膨脹された時、無定形を有する高吸収性樹脂（図５の（Ｂ）参照）は、内部空間Ｓから内皮原緞２０及び外皮原緞１０と縫い物のひと目２の間の隙間を通じて漏出できるので、本考案の縫製玩具に適用するには適していない。
【００３７】
したがって、本考案の縫製玩具１には水分を吸収して膨脹した時、ビード形（玉形、球形、楕円形等）の形状を有するようになるビード形高吸収性樹脂３０が使われる（図５と特許登録第０４９２９１７号の図面参照）。
【００３８】
図５はビード形高吸収性樹脂と一般高吸収性樹脂の粒子写真であるところ、図５の（Ａ）に例示されたビード形高吸収性樹脂のみ本考案に適用することができ、図５の（Ｂ）の無定形（一般）高吸収性樹脂は漏れを引き起こすことができるので好ましくない。
【００３９】
本考案に適用されたビード形高吸収性樹脂３０は、水分を吸収して膨脹した時、ビード形状となって内皮原緞２０とひと目２との間の隙間を透過できず、たとえ透過するとしても極少量に過ぎないようになる。
【００４０】
勿論、水を吸収していない状態の樹脂３０は一種の粉末状態（ビード形であるとしてもビードの直径が非常に小さな状態）であり、水の吸収が充分でない状態の樹脂３０は直径が小さな状態のビードであるので、内皮原緞２０とひと目との間の隙間を透過して漏れる可能性があると考えられるが、粉末または小直径状態のビード形高吸収性樹脂３０は、内部空間Ｓの体積に対比して少ない体積で存在するため、内皮原緞２０に圧力を加えない状態であるので、現実的には粉末または小直径状態のビード形高吸収性樹脂３０が内部空間Ｓから漏れない。
【００４１】
ビード形高吸収性樹脂３０の膨脹されたビード３１の直径は、適用された内皮原緞２０の織造密度の程度によって選択することができ、内皮原緞２０が高密度であるほど、ビード３１の直径は相対的に小さくてもよく、内皮原緞２０の密度が低ければ相対的に大きい直径のビード３１が使われる必要がある。
【００４２】
本考案者がテストしたところによると、前述した内皮原緞２０の条件で膨脹前ビード形高吸収性樹脂３０の直径はある程度まで大きいほど良いが、平均的に０．１〜１ｍｍであればその漏れを避けることができる。
【００４３】
前述したように、ビード形高吸収性樹脂３０は、水を吸収した時、数十−数百倍に膨脹するようになるところ、内部空間Ｓにビード形高吸収性樹脂３０を過度に充填すると、最大限水を吸収した時、過度な膨脹を誘発して原緞１０、２０に加えられる圧力が過度に上昇することによって、ビード３１の漏れや縫い物の破れが生じる可能性を高めるので好ましくなく、反対に、樹脂３０を過度に少なく充填すれば、最大に膨脹された時、縫製玩具１が元の模様が形成できないことがあるので好ましくない。
【００４４】
本考案者の実験によると、ビード形高吸収性樹脂３０の吸収率（膨脹率）によって差があるが、内部空間Ｓに吸収される水重量の１．２％乃至１０％程度のビード形高吸収性樹脂３０を充填する時に適している。しかしながら、ビード形高吸収性樹脂３０の充填量は、使われるビード形高吸収性樹脂３０の吸収率のサイズによって、最大限膨脹された時、本考案の縫製玩具１が過度に膨脹されない範囲で、適切に調整できることは当然である。
【００４５】
ビード形高吸収性樹脂３０は、前述した特許登録第０４９２９１７号などの方法により製造することができ、市中で購入可能である。例えば、本考案者が入手して使用した種々のビード形高吸収性樹脂３０のうち、ソディウムアクリレートポリマー（（Ｃ３Ｈ４Ｏ２）ｘ・ｙＮＡ）のビード形高吸収性樹脂は、そのバルク密度０．９±０．１（ｇ／ｍｌ）であり、不水溶性の摂取と皮膚接触などにおいて、人体に無害な無臭の白色樹脂であって、略８４倍程度の水を吸収してビード形状に膨脹する樹脂として特に好ましかった。
【００４６】
本考案に係る縫製玩具１は、その使用過程で水を使用するものであるので、菌の増殖などにより臭いがすることがあるところ、臭いを防止するために内部空間Ｓにビード形高吸収性樹脂３０と共に適当量（一般的に極少量である）の芳香剤と抗菌剤のうち、少なくとも１つの添加剤４０を投入することができる。このような添加剤４０は、通常的に芳香剤や抗菌剤に広く使われ、かつ人体に無害なものであれば、特別な制限はない。勿論、上記の臭いは石鹸などを利用した簡単な洗浄でも容易に除去できる。
【００４７】
ビード形高吸収性樹脂３０は、原緞１０、２０により区切られる内部空間Ｓに直接投入することもでき、別途に作ったカプセル３２に入れて充填することができ、カプセル３２は水に容易に溶ける水溶性カプセルや押さえれば破損されるカプセルなどを使用することができる。
【００４８】
カプセル３２を適用すれば、カプセル３２の容量を定量の高吸収性樹脂３０の量に合せることができるので、本考案の縫製玩具１のサイズによって、それに投入されるビード形高吸収性樹脂３０の量を一定量に容易に合せることができ、また本考案の縫製玩具１が流通される過程でビード形高吸収性樹脂３０が内部空間Ｓ内で流動しないようにする長所がある。一旦、本考案の縫製玩具１に水を投入した後にカプセル３２は溶けるとか破損される。
【産業上の利用可能性】
【００４９】
以上、説明した本考案に係る縫製玩具１は、水を吸収していない状態では粉末状態であり、水を吸収した状態ではペースト（または、ゲル）状態であって、縫製玩具の充填物に使用できるものと想像できなかった高吸収性樹脂を、縫製玩具の原緞に透水性の外皮原緞１０と透水性／ビード−不透過性の内皮原緞２０との二重構造で構成する一方、高吸収性樹脂としてビード形高吸収性樹脂３０を適用することによって、縫製玩具の充填物として使用できるようにしたものである。
【００５０】
本考案の縫製玩具１は、充填されたビード形高吸収性樹脂２０の水分吸収量及び蒸発量によって、収縮及び膨脹状態が可変され、いろいろな姿勢が表出できるようになるので、膨脹／収縮現象自体に対する面白さは勿論、１つの縫製玩具に対して多様な形状を表出できるという面白いがあり、併せて、水で遊ぶ適しなかった縫製玩具を水でも持って遊ぶことができる。
【００５１】
本考案者が実験したところによると、図１に例示された本考案の縫製玩具１の場合、高吸収性樹脂３０が水分を殆ど吸収しない完全収縮状態の縫製玩具１を水に浸漬させた時、水分を最大限吸収した完全膨脹状態に至るまで約１−３分がかかり、完全膨脹状態の縫製玩具１から水が蒸発してまた完全収縮状態になるまでは蒸発条件によって何時間から１週間以上までかかった。
【００５２】
本考案の縫製玩具１は布からなる原緞１０、２０に水を適用するものであるので、水に濡れた原緞により手に不快感を与えると予想できるが、高吸収性樹脂３０が原緞の水を最大限吸収するようになるので、実際には不快感を感じる程度の湿っぽさがないし、高吸収性樹脂３０に吸収されていた水が徐々に蒸発する過程で吸熱が生じて、接触時に涼しい感じを有するようにする。
【００５３】
また、本考案の縫製玩具１に水を吸収させて膨脹させた後、これを冷凍させて常温で解凍するようになる場合に、外皮原緞１０と内皮原緞２０の保温作用により結露が発生しない、かつ長い間の時間に亘ってゆっくり解凍されるので、縫製玩具１を接触する時に湿っぽくない、かつ過度に冷たくない涼しい状態を長く間持続することができる。したがって、本考案の縫製玩具１を冷凍させて使用すれば、簡単に暑さを冷ますことができる用途に使用できるのみならず、冷湿布や体温降下のための用途に兼用して使用することもできる。
【００５４】
本考案の縫製玩具１の充填物として高吸収性樹脂３０と共に適当量の芳香剤及び／または抗菌剤の添加剤４０を投入すれば、水の使用に伴う細菌繁殖及び臭いの発生を最小化することができ、延いては、車両や室内に配置して芳香玩具として使用することができる。
【００５５】
併せて、本考案の縫製玩具１を使用者に提供する時には、その包装紙などに該縫製玩具１により吸収できる水分の量（最大吸収量、中間吸収量等）を多様に表示してくれることによって、使用者が参照するようにすることができる。
【符号の説明】
【００５６】
１    本考案の縫製玩具
２    縫い物ひと目
１０    透水性外皮原緞
２０    透水性／ビード−不透過性内皮原緞
３０    ビード形高吸収性樹脂
３１    ビード
３２    カプセル
４０    添加剤
Ｓ    内部空間
【図１】
0003153003.tif 000003
【図２】
0003153003.tif 000004
【図３】
0003153003.tif 000005
【図４】
0003153003.tif 000006
【図５】
0003153003.tif 000007